(57)【要約】【課題】低域の音の音響再生もスピーカを用い、かつ、大音量で再生しても隣家などへの低域の音の伝播を軽減することができる音響再生システムを提供する。【解決手段】複数チャンネルのうちの低域用のチャンネルの音声信号を受けて、低域の音響再生を行なう低域用スピーカユニット１１ＳＷ１〜１１ＳＷ４を、その振動板の前後から出る音が加算可能なように、バッフル板に取り付けることなく、保持手段２２によりリスナ１の耳の近傍に配置するようにする保持する。【選択図】図４
2006345477.tif 000002
【特許請求の範囲】
【請求項１】
複数チャンネルのうちの低域用のチャンネルの音声信号を受けて、低域の音響再生を行なう低域用スピーカユニットと、
前記低域用スピーカユニットの振動板の前後から出る音が加算可能なように、前記低域用スピーカユニットを、バッフル板に取り付けることなく、リスナの耳の近傍に配置するようにする保持する保持手段と、
を備えることを特徴とする音響再生システム。
【請求項２】
請求項１に記載の音響再生システムにおいて、
前記保持手段により、前記低域用スピーカユニットが、リスナが座る椅子に取り付けられてなる
ことを特徴とする音響再生システム。
【請求項３】
請求項１に記載の音響再生システムにおいて、
前記低域用スピーカユニットは、前記保持手段により、リスナの顔面よりも後方の空間範囲に配置される
ことを特徴とする音響再生システム。
【請求項４】
請求項１に記載の音響再生システムにおいて、
前記低域用スピーカユニットは、少なくとも、リスナの左右の耳に対向した２個を設ける
ことを特徴とする音響再生システム。
【請求項５】
前記保持手段により、前記複数チャンネルの内の、後方チャンネルの音声信号用スピーカがさらに保持される
ことを特徴とする音響再生システム。
【請求項６】
低域用のチャンネルを含む複数チャンネルの音声信号を、複数個のスピーカを用いて再生するようにする音響再生システムであって、
前記低域用のチャンネルを含む複数チャンネルの音声信号を、前記複数個のスピーカに出力する音声信号処理手段と、
前記音声信号処理手段からの前記低域用のチャンネル以外の複数チャンネルの音声信号を受けて、それぞれ音響再生する、スピーカユニットがバッフル板に取り付けられている複数個のスピーカと、
前記音声信号処理手段からの前記低域用のチャンネルの音声信号を受けるスピーカユニットが、その振動板の前後から出る音が加算可能なようにバッフル板に取り付けられることなく、リスナの耳の近傍に配置されるように保持されてなる低域用スピーカと、
を備えることを特徴とする音響再生システム。
【請求項７】
請求項６に記載の音響再生システムにおいて、
少なくとも前記低域用スピーカが、リスナが座る椅子に取り付けられてなる
ことを特徴とする音響再生システム。
【請求項８】
低域用のチャンネルを含む複数チャンネルの音声信号を、複数個のスピーカを用いて再生するようにする音響再生方法であって、
前記低域用のチャンネル以外の複数チャンネルの音声信号は、スピーカユニットがバッフル板に取り付けられている複数個のスピーカにより、それぞれ音響再生するようにし、
前記低域用のチャンネルの音声信号は、スピーカユニットが、その振動板の前後から出る音が加算可能なようにバッフル板に取り付けられることなく、リスナの耳の近傍に配置されるように保持されてなる低域用スピーカにより音響再生するようにした
ことを特徴とする音響再生方法。
【発明の詳細な説明】
【技術分野】
【０００１】
この発明は、例えば５．１チャンネルなどのように低域用音声信号を含むマルチチャンネル方式の音声信号を再生する場合に使用して好適な音響再生方法および音響再生システムに関する。
【背景技術】
【０００２】
ホームシアターシステムと呼ばれる映像音響再生システムが普及しつつある。この映像音響再生システムにおいては、例えばＤＶＤ（Ｄｉｇｉｔａｌ  Ｖｅｒｓａｔｉｌｅ  Ｄｉｓｃ）からの映像再生は、比較的大画面のディスプレイに表示して行なうと共に、音響再生は、マルチチャンネル方式、最近は、５．１チャンネル方式を採用して、迫力のある映像および音響再生ができるようにしている。
【０００３】
５．１チャンネル方式の音響再生システムでは、フロント、センタ、リア、サブウーハと、４種類のスピーカが必要で、低域専用のスピーカであるサブウーハは、本来、１００Ｈｚ以下の帯域をモノラルで受け持っている。その他のスピーカは、１００Ｈｚから２０ｋＨｚを受け持つ。
【０００４】
従来、５．１チャンネル方式の音響再生システムにおけるスピーカ配置は、図２１に示すようなものとされている。すなわち、図２１に示すように、リスナ１の前方の、左側にフロント左チャンネル用スピーカ２ＦＬが、右側にフロント右チャンネル用スピーカ２ＦＲが、また、正面にセンタチャンネル用スピーカ２Ｃが、それぞれ配置される。
【０００５】
また、リスナ１の後方の、左側にリア左チャンネル用スピーカ２ＲＬが、右側にリア右チャンネル用スピーカ２ＲＲが、それぞれ配置される。さらに、適宜の位置に、ＬＦＥ（Ｌｏｗ  Ｆｒｅｑｕｅｎｃｙ  Ｅｆｆｅｃｔ）チャンネル用（低域専用）のサブウーハスピーカ２ＳＷが配置される。
【０００６】
これらの６個のスピーカ２ＦＬ，２ＦＲ，２Ｃ，２ＲＬ，２ＲＲ，２ＳＷは、それぞれスピーカボックス（箱）に取り付けられて、それぞれの位置に配置される。通常、前後の６個のスピーカは、リスナ１との距離ｄｓが、例えば２メートル程度とされて配置されることが多い。
【０００７】
従来の音響再生システムでは、例えば１５リットル程度のスピーカボックスが利用されていたＬ用、Ｒ用のスピーカは、１リットル前後の小さなボックスに変わり、サテライトスピーカとも呼ばれている。当然低域は出ないので、それを補助するためにサブウーハと呼ばれる低域専用のスピーカが1個追加されている。このように、サブウーハ以外のスピーカを小型のボックスとした場合には、サブウーハ２ＳＷに供給する音声信号のクロスオーバ周波数は、１５０Ｈｚと、前記の１００Ｈｚよりも若干高めになっていることも多いが、かなり低い周波数であることには変わりはない。
【０００８】
このような配置のスピーカシステムで、ＤＶＤからの５，１チャンネルの音声信号を再生すると、当然のことであるが充分な低音が再生される。しかも、低域専用に再生側も特別にチャンネルを設けているので、映画などのソースでは従来にないほどの重低音が部屋中に響きわたり、迫力のある臨場感を得ることができる。
【０００９】
ところで、一般に、高域の音は遮音が容易で、壁とかドア１枚でかなりの音を減衰させることが可能である。しかしながら、サブウーハでの再生対象となる例えば１００Ｈｚ以下のような低域の音の場合には、遮音は簡単にできず、家が小さな日本の家屋では、この低域の音を遮るほど部屋の広さがとれないことが多い。また、通常の５．１チャンネルのスピーカ構成では、ＤＶＤの映像音響鑑賞において、迫力ある音を再生するためには、９０ｄＢ程度以上の音量を必要とする。この時、特にサブウーハが受け持つ５０Ｈｚ、４０Ｈｚといった低音は、響き、かなりの範囲に音が伝播されることになる。
【００１０】
このため、サブウーハから音が再生されたときに、隣の部屋はもちろん、上下の部屋まで音が届いて迷惑をかけるおそれがある。特に低い帯域の音ほど遮音が難しく、サブウーハは、日本の住宅事情では大きな問題であり、せっかくの５．１チャンネルの音響再生システムも、充分使いきることが出来ない現状がある。
【００１１】
この問題点を解決するため、特許文献１（特開平５−９５５９１号公報）には、中高音は小型スピーカ（スピーカユニットがスピーカボックスに収納されるタイプ）で音響再生し、低音域は低音用ヘッドホンや骨伝導で、リスナの耳の近傍で音響再生するようにした音響再生システムが提案されている。
【００１２】
この特許文献１の技術によれば、低音はヘッドホンや骨伝導でリスナの耳の近傍で音響再生されるので、リスナには大音量に聴こえても、隣家には伝わらないようにすることができる。
【００１３】
上記の特許文献および非特許文献は、次の通りである。
【特許文献１】特開平５−９５５９１号公報
【発明の開示】
【発明が解決しようとする課題】
【００１４】
しかしながら、上記の特許文献１の発明では、低域の音を耳の近傍で再生するものであっても、スピーカではなく、ヘッドホンや骨伝導を利用した振動体とされている。スピーカ以外の振動体で、スピーカと同等の低域感を得ることは、個人差もあるが、一般的に受け入れられるほど素直な感覚ではないと思われる。また、リスナはヘッドホンや骨伝導用のヘッドセットを装着しなければならず、煩わしいという問題もある。
【００１５】
この発明は、以上の点にかんがみ、低域の音の音響再生もスピーカを用い、かつ、大音量で再生しても隣家などへの低域の音の伝播を軽減することができる音響再生方法および音響再生システムを提供することを目的とする。
【課題を解決するための手段】
【００１６】
上記の課題を解決するために、この発明は、
複数チャンネルのうちの低域用のチャンネルの音声信号を受けて、低域の音響再生を行なう低域用スピーカユニットと、
前記低域用スピーカユニットの振動板の前後から出る音が加算可能なように、前記低域用スピーカユニットを、バッフル板に取り付けることなく、リスナの耳の近傍に配置するようにする保持する保持手段と、
を備えることを特徴とする音響再生システムを提供する。
【００１７】
この発明においては、低域用スピーカユニットは、リスナの耳の近傍に保持されるように構成されているので、リスナには大音量に聴こえるようにすることができる。
【００１８】
そして、低域用スピーカユニットはバッフル板に取り付けられていないため、音響再生された低域音声は、低域用スピーカユニットの振動板の前後から放音される。スピーカユニットの振動板の前と後から出てくる音は、互いに反対の位相（逆位相）となるので、互いに打ち消し合って、減衰される。特に低域ほど、この減衰が大きく、隣家に伝播される低域音声は著しく軽減される。
【発明の効果】
【００１９】
この発明によれば、低域の音の音響再生もスピーカを用い、かつ、大音量で再生しても、隣家などへの低域の音の伝播を軽減することができる。
【発明を実施するための最良の形態】
【００２０】
以下、この発明による音響再生システムの実施形態を、前述した５．１チャンネル方式のマルチチャンネル音声信号を音響再生する場合を例に、図を参照しながら説明する。
【００２１】
図１は、この発明による音響再生システムの実施形態におけるスピーカ配置を説明する図である。
【００２２】
図１に示すように、この実施形態においても、図２１の例と同様に、リスナ１の前方の、左側にフロント左チャンネル用スピーカ１１ＦＬが、右側にフロント右チャンネル用スピーカ１１ＦＲが、また、正面にセンタチャンネル用スピーカ１１Ｃが、それぞれ配置される。
【００２３】
これらのスピーカ１１ＦＬ，１１ＦＲおよび１１Ｃは、この例では、例えば１リットル程度の小型のスピーカボックス１２ＦＬ，１２ＦＲおよび１２Ｃの前面側をバッフル板として、それぞれ用のスピーカユニット１３ＦＬ，１３ＦＲおよび１３Ｃが取り付けられたもので構成されている。これらのスピーカ１１ＦＬ，１１ＦＲおよび１１Ｃは、どのチャンネルかを区別する必要がないときには、以下、フロントスピーカと称する。
【００２４】
また、リスナ１の後方の、左側にリア左チャンネル用スピーカ１１ＲＬが、右側にリア右チャンネル用スピーカ１１ＲＲが、それぞれ配置される。これらのスピーカ１１ＲＬ、１１ＲＲは、左右を区別する必要がないときには、以下、リアスピーカと称する。
【００２５】
これらのスピーカ１１ＲＬおよび１１ＲＲは、この例では、スピーカ１１ＦＬ，１１ＦＲおよび１１Ｃよりもさらに小型のスピーカボックス１２ＲＬおよび１２ＲＲの前面側をバッフル板として、それぞれ用のスピーカユニット１３ＲＬおよび１３ＲＲが取り付けられたもので構成されている。
【００２６】
したがって、前方チャンネル用の３個のスピーカ１１ＦＬ，１１ＦＲ，１１Ｃおよび後方チャンネル用の２個のスピーカ１１ＲＬ、１１ＲＲは、従来と同様の構成および配置であってもよい。この実施形態では、サブウーハについての構成が、従来例とは大きく異なる。
【００２７】
すなわち、この実施形態では、リスナ１の左右の耳の近傍において、２個のサブウーハ１１ＳＷ１および１１ＳＷ２が、その振動板がそれぞれの耳に対向するように、リスナ１の頭部を挟んで配置される。そして、これら２個のサブウーハ１１ＳＷ１および１１ＳＷ２は、そのスピーカユニットの振動板の前後から放射される音が混合可能となるように、当該スピーカユニットはスピーカボックスには収納されてはおらず、かつ、バッフル板に取り付けられてもいない。
【００２８】
そして、２個のサブウーハ１１ＳＷ１および１１ＳＷ２には、ＬＦＥチャンネルの低域信号が共通に供給され、これらサブウーハ１１ＳＷ１および１１ＳＷ２から同相でＬＦＥチャンネルの低域音が放音されるようにされている。
【００２９】
このように構成される結果、ＬＦＥチャンネルの低域音は、リスナ１の両耳の近傍で放音されるため、リスナ１には大音量で聴取されるが、リスナ１から離れた位置では、サブウーハ１１ＳＷ１，１１ＳＷ２のスピーカユニットの振動板の前と後から出てくる音が互いに１８０度位相が異なり、互いに打ち消し合うため、殆ど聴取されないようになる。これにより、従来のように低域の音が隣家にまで伝播して、迷惑をかけてしまうという事態を防止することができる。
【００３０】
低域の音の減衰を確かめるために、無響室において、図２に示すように、サブウーハ用とされる例えば１７センチメートルの口径のスピーカユニット１１ＳＷからの音を、スピーカユニット１１ＳＷから距離ｄだけ離れた位置のマイクロホン１２で収音して、その音圧レベルの周波数特性を測定したところ、図３に示すようなものとなった。この場合、スピーカユニット１１ＳＷは、ボックスに収納したり、バッフル板に取り付けたりされてはいない。
【００３１】
図３における４個の周波数特性曲線２１，２２，２３，２４は、前記スピーカユニット１１ＳＷとマイクロホン１２との距離ｄが、それぞれｄ＝１０センチメートル、ｄ＝２０センチメートル、ｄ＝４０センチメートル、ｄ＝８０センチメートルの時のものである。
【００３２】
この図３から、スピーカユニットをボックスに入れない構成にすると、１ｋＨｚ以下の音はかなり減衰することが分かり、特に低域の音になるほどその減衰量が大きいことが確かめられた。
【００３３】
そして、この実施形態の場合、２個のサブウーハ１１ＳＷ１，ＳＷ２と、リスナ１の左耳、右耳との間のそれぞれの距離ｄｓｗは、低域の音がリスナ１の耳にそれほど減衰されること無く伝達される距離、この例では、ｄｓｗ＝２０センチメートル程度とされる。
【００３４】
例えば、従来例として説明した図２１の例では、サブウーハ２ＳＷとリスナ１の耳までの距離は２メートルとしたのに対して、図１の実施形態では、サブウーハ２ＳＷ１，ＳＷ２とリスナ１の両耳のそれぞれとの距離は、２０センチメートルとしたので、従来例に比べて、実施形態の場合には、距離が１／１０になる。
【００３５】
このために、この実施形態において、リスナ１が同じ音圧を感じるために必要なエネルギーは、従来例の場合の１/１００でよいことになる。つまり、従来例で仮に１００Ｗ（ワット）のアンプを必要としていた場合には、この実施形態の場合には、１Ｗのアンプでも同じ音圧を感じることになる。
【００３６】
この実施形態では、スピーカに供給する音声信号出力の違いによるだけでも音の拡散が小さい上に、低い音、例えば２０Ｈｚ,３０Ｈｚ,４０Ｈｚ当たりになると、位相の点でキャンセルし、サブウーハのスピーカユニットのごく近傍以外ではほとんど音は聴こえなくなる。その一方で、ＤＶＤソフトに含まれる迫力ある音響効果は、この低音の帯域に大きなエネルギーを収録することで得るようにしてあるため、防音の効果はより大きくなる。
【００３７】
以上の構成により、低域音のみに注目して、当該低域音のみを減衰させることを考えた場合には、十分に効果が得られる。しかし、この実施形態では、サブウーハ１１ＳＷ１，１１ＳＷ２によって音響再生される低域の音だけでなく、さらに、全音域においても、防音の効果が得られるようにしている。
【００３８】
すなわち、サブウーハ以外の、その他のスピーカも同様にリスナ１の耳までの距離を小さくすることで、全音域での放射エネルギーを小さくして、防音に寄与させることができる。
【００３９】
特に、サブウーハ１１ＳＷ１，１１ＳＷ２に隣接して、リアスピーカ１１ＲＬ，１１ＲＲも、リスナ１の耳元近くに配置することは効果がある。元々、リアスピーカ１１ＲＬ，１１ＲＲは、リスナ１の背面からの残響音等が主な音源であるため、それほど重要でない点も含め、リスナ１の頭部後方の左右に、小型のスピーカボックスに小型のスピーカユニットを収納して配置することで、定位と省エネルギーを達成できる。
【００４０】
また、フロントスピーカ１１ＦＬ、１１ＦＲ、１１Ｃも、その配置には工夫はいるものの、最小値として、例えば、リスナ１の耳から５０センチメートル近くまで寄せることにより、やはりトータルの音量を下げ、周りへの音の公害を減らすことが可能になる。
【００４１】
上述の例の場合、サブウーハ１１ＳＷ１，１１ＳＷ２の音圧は、当該サブウーハ１１ＳＷ１，１１ＳＷ２とリスナ１の耳との間の距離ｄｓｗが、従来の２メートルに比べ２０センチメートルになることで２０ｄＢ下がる。リアスピーカ１１ＲＬ、１１ＲＲも同様である。また、その他のフロントスピーカ１１ＦＬ、１１ＦＲ、１１Ｃとの関係でも、それらのスピーカ１１ＦＬ、１１ＦＲ、１１Ｃとリスナ１の耳との距離ｄｆが２メートルから５０センチメートルに近づけば、１２ｄＢも音圧を下げる効果がある。
【００４２】
以上のことを考慮した、７個のすべてのスピーカを、リスナ１の耳からあまり離さずに配置する方法としては、例えばマッサージチェアのような構造の椅子に、それぞれスピーカを設置する方法が考えられる。
【００４３】
図４は、その場合の一例であり、前述したような７個のスピーカ１１ＦＬ，１１ＦＲ，１１Ｃ、１１ＲＬ、１１ＲＲ、１１ＳＷ１，１１ＳＷ２が椅子に装着された構造とされた、この発明の音響再生システムの実施形態を示す図である。
【００４４】
すなわち、この例においては、例えば、椅子２０は、飛行機のビジネスクラスのシートのような構造で、椅子２０の背もたれ部２１の頂部２１ａに、スピーカ保持具２２が取り付けられ、このスピーカ保持具２２に、サブウーハ１１ＳＷ１，１１ＳＷ２と、リアスピーカ１１ＲＬ、１１ＲＲが取り付けられて保持される。
【００４５】
図５（Ａ），（Ｂ）は、スピーカ保持具２２の一例を示す図である。このスピーカ保持具２２は、例えばアルミニュームなどの金属からなるパイプ２２１により構成されている。図５（Ｂ）に示すように、パイプ２２１は扁平のリング状に構成され、そのリングにより形成される空間に、サブウーハ１１ＳＷ１，１１ＳＷ２と、リアスピーカ１１ＲＬ、１１ＲＲと、さらに補助用のサブウーハ１１ＳＷ３，１１ＳＷ４とが固定保持される構造となっている。
【００４６】
補助用のサブウーハ１１ＳＷ３，１１ＳＷ４は、リスナ１の耳の横に配置されているサブウーハ１１ＳＷ１，１１ＳＷ２のみでは、聴感状、低域の音がパワー不足と感じられる場合があるので、当該パワー不足を補充するためのもので、これら補助用のサブウーハ１１ＳＷ３，１１ＳＷ４は必須のものではない。
【００４７】
パイプ２２１は、扁平なリング状形状に構成されており、かつ、そのリング状部分が、図５（Ａ）に示すように、リスナ１の顔の正面方向を除く頭部の横（左右の耳と対向する側）と頭部の後部とを囲むように、ほぼコ字状に構成されている。
【００４８】
そして、このリング状パイプ２２１には、椅子２０の背もたれ部２１に取り付けるための取り付け脚部２２２ａ、２２２ｂが連結して設けられており、この取り付け脚部２２２ａ、２２２ｂにより、椅子２０の背もたれ部２１に、例えば取り外し可能に取り付けられることができるようにされている。すなわち、例えば椅子２０の背もたれ部２１の頂部２１ａには、取り付け脚部２２２ａ、２２２ｂが挿入嵌合する長孔（図示は省略）が設けられており、取り付け脚部２２２ａ、２２２ｂが、当該背もたれ部２１の長孔に挿入嵌合されることにより、取り付け固定されるように構成されている。
【００４９】
そして、このコ字状のリング状パイプ２２１の、リスナ１が椅子に座ったときに、リスナ１の左右の耳と対向する位置に、それぞれサブウーハ１１ＳＷ１および１１ＳＷ２が、パイプ２２１に固定されて保持される。また、このサブウーハ１１ＳＷ１、１１ＳＷ２のそれぞれの後方側に、スピーカユニットがボックスに収納されているリアスピーカ１１ＲＬ、１１ＲＲが、パイプ２２１に固定されて保持される。さらに、リスナ１の頭部の後方となるリング状パイプ位置に、補助用のサブウーハ１１ＳＷ３，１１ＳＷ４が、パイプ２２１に固定されて保持される。
【００５０】
この例の場合、リスナ１が椅子２０に座ったとき、サブウーハ１１ＳＷ１〜ＳＷ４およびリアスピーカ１１ＲＬ、１１ＲＲと、リスナ１の頭部（特に耳）との距離は、この例では、２０センチメートル程度となるように、構成されている。
【００５１】
この実施形態では、３個のフロントスピーカ１１ＦＬ，１１ＦＲ，１１Ｃも、椅子２０に取り付けられる構成とされている。
【００５２】
すなわち、前方左チャンネル用スピーカ１１ＦＬは、この例では、椅子２０の左側の肘掛部２３Ｌに対して、例えば挿脱可能に取り付けられる取り付けアーム２４Ｌの先端部に取り付けられている。この例の場合、肘掛部２３Ｌには、取り付けアーム２４Ｌが挿脱可能に装着される装着部（図示は省略）が設けられており、スピーカ１１ＦＬが先端部に固定されて取り付けられている取り付けアーム２４Ｌが、その装着部に装着されることにより、椅子２０に取り付けられる。なお、この場合、スピーカ１１ＦＬの位置は、リスナ１のディスプレイ画面の映像の観視の妨げとならない位置となるように、構成されている。
【００５３】
図示は省略するが、前方右チャンネル用スピーカ１１ＦＲも、同様に、取り付けアームの先端部に固定されて取り付けられており、その取り付けアームが、椅子２０の右側の肘掛部の取り付けアーム装着部に対して、装着されることにより取り付けられる。
【００５４】
また、センタチャンネル用スピーカ１１Ｃも、図示は省略するが、同様に、取り付けアームの先端部に固定されて取り付けられており、その取り付けアームが、左右の肘掛部のいずれか一方に設けられる、取り付けアーム装着部に対して、装着されることにより取り付けられる。
【００５５】
なお、この場合、取り付け後のスピーカ１１ＦＬ、１１ＦＲ，１１Ｃの位置が、リスナ１のディスプレイ画面の映像の観視の妨げとならない位置となるように、取り付けアームやその装着部が構成されている。
【００５６】
そして、各スピーカ１１ＦＬ、１１ＦＲ，１１Ｃ，１１ＲＬ、１１ＲＲ、１１ＳＷ１〜１１ＳＷ４への対応するチャンネルの音声信号は、この例では、椅子２０の下部に設けられている音声信号処理装置３０から、それぞれ信号線（スピーカケーブル）を通じて供給されるように構成されている。音声信号処理装置３０は、例えばＤＶＤ再生装置からのマルチチャンネルの音声信号を受けて、各チャンネルの音声信号を分離し、分離した各チャンネルの音声信号を出力増幅して、対応する各チャンネルのスピーカに供給するようにする。
【００５７】
この場合に、音声信号処理装置３０は、マルチチャンネル音声信号の供給源、例えばＤＶＤ再生装置からの信号を、信号ケーブルを通じて受け取るように構成することもできるが、それでは、ＤＶＤ再生装置と椅子との間を信号ケーブルで接続しておく必要がある。この実施形態では、ＤＶＤ再生装置に、電波や光を用いて、無線でマルチチャンネルの音声信号を送出する手段を設けると共に、音声信号処理装置３０に、当該無線送信されてくるマルチチャンネルの音声信号を受信する受信部を設けることで、ＤＶＤ再生装置と、椅子２０との間の信号ケーブルを不要としている。
【００５８】
図６は、この実施形態における音声信号処理装置３０の一例の構成例を示すブロック図である。この例は、例えばＤＶＤ再生装置からのマルチチャンネルの音声信号は、電波により送られてくる場合である。
【００５９】
この例の音声信号処理装置３０は、図６に示すように、無線受信部３１と、音声信号処理部３２と、各チャンネル用の出力アンプ３３ＦＲ、３３ＦＬ、３３Ｃ，３３ＲＬ，３３ＲＲおよび３３ＬＦＥとを備えて構成されている。
【００６０】
無線受信部３１は、例えばＤＶＤ再生装置から無線電波により送られてくるマルチチャンネル音声信号を受信して、その受信信号を音声信号処理部３２に供給する。音声信号処理部３２は、受信信号から各チャンネルの音声信号を分離して、それぞれのチャンネルの音声信号を対応するチャンネルの出力アンプに供給するようにする。
【００６１】
この場合、ＤＶＤ再生装置から送られてくるマルチチャンネルの音声信号が、例えばＤＶＤ再生装置でチャンネルデコードされて、５．１チャンネルの各チャンネルの音声信号が復元され、それら５．１チャンネルの音声信号が、時分割多重、周波数多重などの多重化方法で、多重化されて送られてくる場合には、音声信号処理部３２では、多重デコード処理をして、各チャンネルの音声信号を分離するようにする。
【００６２】
また、ＤＶＤ再生装置から送られてくるマルチチャンネルの音声信号が、チャンネルデコード前の信号であるときには、音声信号処理部３２では、チャンネルデコード処理をして、各チャンネルの音声信号を抽出するようにする。
【００６３】
そして、分離、抽出された各チャンネルの音声信号は、それぞれのチャンネル用の出力アンプ３３ＦＲ、３３ＦＬ、３３Ｃ，３３ＲＬ，３３ＲＲおよび３３ＬＦＥを通じて、対応するチャンネルのスピーカ１１ＦＲ、１１ＦＬ，１１Ｃ、１１ＲＬ、１１ＲＲ、１１ＳＷ１〜ＳＷ４に供給される。この場合において、ＬＦＥチャンネルの音声信号は、出力アンプ３３ＬＦＥを通じて、４個のスピーカＳＷ１〜ＳＷ４に共通に供給される。
【００６４】
なお、音声信号処理部３２では、リスナ１と、各スピーカとの距離の違いを考慮した各チャンネルの音声信号に対する遅延処理をするようにしても良い。
【００６５】
以上のようにして、図５に示した椅子２０にマルチチャンネル用スピーカを取り付けた、実施形態の音響再生システムによれば、椅子２０に座ったリスナ１は、大音量で、臨場感のあるマルチチャンネル音声を楽しむことができると共に、周囲への音の漏れを大幅に減少させることができる。
【００６６】
特に、この実施形態では、サブウーハをボックスに収納せずにリスナ１の耳の近傍に配置するようにしたことにより、重低音が隣接した部屋に漏れるのを大幅に減衰させることができる。また、前述したように、サブウーハ用のチャンネル以外の他のチャンネルのスピーカも、リスナ１の近くに配置することにより、それらのチャンネルのスピーカに供給する音声信号レベルを低くすることができるようにしたことにより、低音のみでなく全体として、周囲への音の漏れのレベルを低くすることができる。このため、例えば深夜のＤＶＤ鑑賞でも他者を気にせずに、十分な音量で楽しむことができる。
【００６７】
また、低域の音用のスピーカ（サブウーハ）は、リスナの耳の近傍に配置したので、音声信号出力パワーは極端な場合、従来の場合の１/１００程度にすることができ、省エネルギー化ができ、また、ハードウエア（出力アンプ）のコストを大幅に引き下げることができる。さらに、音声出力パワーは、小さなパワーで済むことで、スピーカは大きなストロークを必要としない薄く、軽い、安価なスピーカを用いることができるという利点もある。また、音声出力パワーが小さくなることにより、発熱が減り、電源などの装置の小型化も出来るため、電池駆動も可能で、椅子等のデザインの中に埋め込むことが出来る。
【００６８】
また、上述のように、ＤＶＤ再生装置などのマルチチャンネル音声信号の供給源からの音声信号出力を、電波や光で伝送するようにすることにより、ＤＶＤ再生装置などと音響再生システムとの間はコードレスとなり、例えば音響再生システムを装備した椅子２０は、自由に移動ができるという利点がある。
【００６９】
したがって、トータルで音響再生システムの省エネルギー化が実現でき、かつ、鑑賞する人の満足度を落とさず、周りへの騒音も減らす音響再生システムを提供できるメリットがある。
【００７０】
通常の防音窓においても、５ｋＨｚで４５ｄＢ減衰できる性能があっても、１ｋＨｚでは３６ｄＢ、１００Ｈｚでは２０ｄＢまで落ちてくる。まして、５０Ｈｚ以下では、さらに減衰量は少なくなるため、この実施形態によるサブウーハの防音効果は著しく、部屋の防音工事までして、映像音響再生を楽しむことを考えると、その節約できる費用効果は非常に大きなものがある。
【００７１】
なお、上述の実施形態では、低域の音響再生用のサブウーハは、リスナの耳に対向する位置に設けたので、リスナに到達する低域の音としては高効率となる。しかし、サブウーハの配置位置は、このような位置に限定されるものではなく、例えば、図７に示すように、リスナ１の頭部を中心とした、例えば半径がｄｓｗの球面上の位置であれば、いずれの位置であっても良い。ただし、サブウーハの配置位置としては、リスナ１の顔面よりもリスナ正面側の空間は好ましくなく、図７に示すように、リスナ１の顔面よりも後方側の区間内であることが望ましい。
【００７２】
［他の実施形態］
上述の実施形態では、フロントスピーカとしては、前方左チャンネル用および前方右チャンネル用の他にセンタチャンネル用のスピーカ１１Ｃをも設けるようにしたが、このセンタチャンネル用のスピーカ１１Ｃは、リスナ１の正面に配置されるため、ディスプレイ画面の映像観視の妨害となるおそれがある。
【００７３】
そこで、この実施形態では、図８において破線で示すように、センタチャンネル用のスピーカ１１Ｃは設けずに、前方左チャンネル用および前方右チャンネル用のスピーカ１１ＦＬ，１１ＦＲから放音される音により、仮想的に図８の破線位置からの音が、すなわち、センタチャンネルの音が、リスナ１に感得せられるように構成する。なお、図８の例では、補助用のサブウーハ１１ＳＷ３、１１ＳＷ４は省略した。
【００７４】
図９は、この実施形態の場合における音声信号処理装置３０の構成例を示すブロック図である。この図９の例においては、音声信号処理装置３０では、センタチャンネル用スピーカ１１Ｃが存在しないために、センタチャンネルの音声信号の出力アンプ３３Ｃは設けられていない。
【００７５】
そして、図６の音声信号処理部３２の代わりに音声信号処理部３４が設けられる。この音声信号処理部３４では、各チャンネルの音声信号を分離、あるいは抽出するまでの処理は、音声信号処理部３２と同様であるが、センタチャンネルの音声信号成分ＳＣを、前方左チャンネルの音声信号ＳＬおよび前方右チャンネルの音声信号ＳＲに同相、同レベルで混合するようにする点が、音声信号処理部３２とは異なる。
【００７６】
すなわち、この実施形態における出力アンプ３３ＦＬに供給される信号ＳＡおよび出力アンプ３３ＦＲに供給される信号ＳＢは、
ＳＡ＝ＳＬ＋αＳＣ
ＳＢ＝ＳＲ＋αＳＣ
となる。ただし、０≦α＜１である。
【００７７】
このようにすれば、前方左チャンネル用および前方右チャンネル用のスピーカ１１ＦＬ，１１ＦＲからは、センタチャンネルの音声が同相、同レベルで放音されるため、あたかも、図８の破線位置に音源があるようにリスナ１には、聴取される。
【００７８】
したがって、この実施形態によれば、センタチャンネルのスピーカ１１Ｃを省略してもセンタチャンネルの音は実質的に再生することができるので、５．１チャンネルのマルチチャンネル音声を聴取しながら、前方の映像をセンタチャンネル用のスピーカに邪魔されることなく観視することができるようになる。
【００７９】
［他の実施形態］
上述の実施形態では、低域再生用のチャンネル用のスピーカのみでなく、他のチャンネル用のスピーカも、椅子に取り付けるようにしたが、低域の音のみの漏れを問題にするのであれば、低域再生用のチャンネル用のスピーカのみを、上述の実施形態のように、バッフル板に取り付けることなく、リスナの耳の近傍に配置するように、椅子に取り付けるようにしても良い。
【００８０】
その場合には、低域再生用のチャンネル用のスピーカのみからなる音響再生システムの構成とすることもでき、低域再生用のチャンネル以外のチャンネルのスピーカは、別個に用意して、適宜に配置して、マルチチャンネル音響再生システムを構成するようにすることができる。
【００８１】
また、上述の実施形態では、椅子にスピーカを取り付けるようにして低域再生用のスピーカを、リスナの耳の近傍に配置する構成であるが、リスナの耳の近傍に配置させる構成としては、椅子に取り付ける構造に限らないことは言うまでもない。
【００８２】
［サブウーハの他の保持構成例］
上述の実施形態では、椅子に固定されたスピーカ保持具に、サブウーハ１１ＳＷ１および１１ＳＷ２のスピーカユニットが、スピーカボックスに収納されることなく、かつ、バッフル板に取り付けられることなく、いわゆる裸の状態で装着された場合であるが、スピーカ保持具は、椅子に固定されていなくてもよい。
【００８３】
図１０および図１１に示す例は、例えば前述の実施形態と同様にアルミニュームのパイプで構成される、２個のサブウーハ１１ＳＷ１および１１ＳＷ２のスピーカ保持具を、椅子５１に対して挿脱可能に構成した例である。
【００８４】
図１０の例においては、２個のサブウーハ１１ＳＷ１および１１ＳＷ２は、スピーカ保持具５２のＴ字型の取り付けアーム５２ａの両側に取り付けられる。２個のサブウーハ１１ＳＷ１およびＳＷ２は、その振動面が互いに対向するようにして、所定の距離だけ離された状態で、スピーカ保持具５２に取り付けられる。
【００８５】
この例の場合においても、サブウーハ１１ＳＷ１の振動面と、サブウーハ１１ＳＷ２の振動面との間の距離は、当該２個のサブウーハ１１ＳＷ１および１１ＳＷ２の間にリスナ１の頭部が挿入されたときに、リスナ１の両耳と、２個のサブウーハ１１ＳＷ１および１１ＳＷ２のそれぞれとの間の距離が、図１で説明したような距離ｄｓｗとなるようにされている。
【００８６】
スピーカ保持具５２のＴ字型の取り付けアーム５２ａの中央アーム５２ｂは、この例では、椅子５１に設けられたスピーカ保持具装着孔５１ａに挿入して、椅子５１にスピーカ保持具５２を取り付けるための部分となる。
【００８７】
椅子５１のスピーカ保持具装着孔５１ａは、椅子５１の背板部の、リスナ１が座ったときの肩幅方向の中央部に形成されている。
【００８８】
この図１０の例においては、リスナ１は、サブウーハ１１ＳＷ１および１１ＳＷ２を用いて楽曲を聴取する際に、スピーカ保持具５２の中央アーム５２ｂを、椅子５１のスピーカ保持具装着孔５１ａに挿入装着して、サブウーハ１１ＳＷ１および１１ＳＷ２を、椅子５１に対して装着するようにする。
【００８９】
図１０の例においては、リスナ１は、椅子５１に座れば、自分の両耳の近傍の、当該両耳に対して所定の距離ｄｓｗだけ離れた位置に、サブウーハ１１ＳＷ１および１１ＳＷ２が配置され、低域の音声は、小さい音量であってもリスナ１にとって十分な音量で再生され、周囲に対しては低騒音となる。
【００９０】
また、図１１の例は、サブウーハ１１ＳＷ１および１１ＳＷ２のそれぞれが、スピーカ保持具５３１と、スピーカ保持具５３２とに取り付けられている。一方、椅子５１の背板部の、リスナ１が座ったときの肩幅方向の一方の端部に、スピーカ保持具５３１を挿入嵌合するスピーカ保持具装着孔５１ｂが形成され、椅子５１の背板部の、リスナ１が座ったときの肩幅方向の他方の端部に、スピーカ保持具５３２を挿入嵌合するスピーカ保持具装着孔５１ｃが設けられる。
【００９１】
この図１１の例においては、リスナ１は、サブウーハ１１ＳＷ１および１１ＳＷ２を用いて楽曲を聴取する際には、スピーカ保持具５３１を、椅子５１のスピーカ保持具装着孔５１ｂに挿入装着すると共に、スピーカ保持具５３２を、椅子５１のスピーカ保持具装着孔５１ｃに挿入装着して、サブウーハ１１ＳＷ１および１１ＳＷ２を、椅子５１に対して装着するようにする。
【００９２】
そして、椅子５１に対して、スピーカ保持具５３１および５３２を装着したときの、サブウーハ１１ＳＷ１の振動面と、サブウーハ１１ＳＷ２の振動面との間の距離は、当該２個のサブウーハ１１ＳＷ１および１１ＳＷ２の間にリスナ１の頭部が挿入されたときに、リスナ１の両耳と、２個のサブウーハ１１ＳＷ１および１１ＳＷ２のそれぞれとの間の距離が、図１で説明したような距離ｄｓｗとなるようにされている。
【００９３】
したがって、図１１の例においても、リスナ１は、椅子５１に座れば、自分の両耳の近傍の、当該両耳に対して所定の距離ｄｓｗだけ離れた位置に、サブウーハ１１ＳＷ１および１１ＳＷ２が配置され、低域の音声は、小さい音量であってもリスナ１にとって十分な音量で再生され、周囲に対しては低騒音となる。
【００９４】
図１０および図１１の例の場合には、通常の椅子５１の使用時には、スピーカ保持具５２やスピーカ保持具５３１，５３２を、椅子５１から取り外すことが可能であるので、サブウーハ１１ＳＷ１および１１ＳＷ２が邪魔になることがなく、使い勝手がよい。
【００９５】
２個のサブウーハ１１ＳＷ１および１１ＳＷ２は、以上の例に示したように、椅子に対して取り付けるようにする構成に限られるものではない。
【００９６】
図１２の例は、２個のサブウーハ１１ＳＷ１および１１ＳＷ２が、図１０や図１１の例と同様の距離を持って対向して取り付けられたスピーカ保持具５４が、吊り部材５５により、例えば天井から吊り下げられた例である。
【００９７】
図１２の例の場合、例えば吊り部材５５は、図示を省略したが、その天井からの長さが調整可能とされており、当該長さ調整により、例えば、図１２に示すように椅子５１に座ったリスナ１の両耳の近傍の、当該両耳に対して所定の距離ｄｓｗだけ離れた位置に、サブウーハ１１ＳＷ１および１１ＳＷ２が配置されるようにされる。
【００９８】
また、図１３の例は、２個のサブウーハ１１ＳＷ１および１１ＳＷ２が、図１０や図１１の例と同様の距離を持って対向して取り付けられたスピーカ保持具５６が、スタンド式に構成された場合である。
【００９９】
また、図１４の例は、図１３の例と同様に、スピーカ保持具がスタンド式に形成された場合であるが、この図１４の例の場合には、２個のサブウーハ１１ＳＷ１および１１ＳＷ２のそれぞれが、独立のスタンド形式のスピーカ保持具５７１および５７２のそれぞれに取り付けられて構成されている場合である。
【０１００】
したがって、図１３の例の場合には、スピーカ保持具５６を、リスナ１に対して、所定の場所に設置すれば、２個のサブウーハ１１ＳＷ１および１１ＳＷ２は、上述した図１０および図１１の例と同様にして、正しく配置される。
【０１０１】
しかし、図１４の例の場合には、スピーカ保持具５７１および５７２は、全く、分離独立したものであるので、スタンド形式のスピーカ保持具５７１および５７２のそれぞれを、リスナ１が適切な位置に配置するようにする。
【０１０２】
図１５の例は、２個のサブウーハ１１ＳＷ１および１１ＳＷ２が、図１０や図１１の例と同様の距離を持って対向して取り付けられたスピーカ保持具５８が、壁５９に取り付けられるように構成された場合である。
【０１０３】
この図１５の例の場合には、図１３の例と同様に、２個のサブウーハ１１ＳＷ１および１１ＳＷ２の距離は、スピーカ保持具５８により固定されているので、リスナ１は、自分の頭部を、これら２個のサブウーハ１１ＳＷ１および１１ＳＷ２の中央に置くようにすればよい。
【０１０４】
図１６の例は、椅子に対して着脱自在にスピーカ保持部を装着する例の他の例である。この図１６の例においては、椅子５１の背板部分６１の背面側に、鉄板６２を埋め込んでおく。
【０１０５】
一方、２個のサブウーハ１１ＳＷ１および１１ＳＷ２が、図１０や図１１の例と同様の距離を持って対向して取り付けられたスピーカ保持具６３には、マグネット部６４が、例えばねじ止めなどにより装着されている。スピーカ保持具６３は、マグネット部６４を、椅子５１の背板部分６１の鉄板６２に磁気吸引力により吸着させることにより、椅子５１の背板部分６１に固定するようにする。
【０１０６】
この図１６の例においても、リスナ１は、椅子６１に座って、自分の頭部を２個のサブウーハ１１ＳＷ１および１１ＳＷ２の中央に置くようにすればよい。
【０１０７】
以上は、一人のリスナ１に対するサブウーハの配置例であるが、複数人が同時に楽曲の聴取を楽しむ場合にも、この発明は適用できる。図１７〜図２０は、そのような複数人が同時に楽曲を楽しむ場合におけるサブウーハの、当該複数のリスナに対する配置例を説明するための図である。
【０１０８】
図１７および図１８は、二人のリスナ１Ａおよび１Ｂに対して、サブウーハを、それぞれのリスナの耳の近傍に配置するようにした音響再生システムの例を示すもので、この例は、図１６の例の応用例である。
【０１０９】
図１７の例においては、例えばアルミニュームのパイプで構成されるスピーカ保持具６５には、リスナ１Ａ用の２個のサブウーハ１１ＳＷ１Ａ，１１ＳＷ２Ａが取り付けられると共に、リスナ１Ｂ用の２個のサブウーハ１１ＳＷ１Ｂ，１１ＳＷ２Ｂが取り付けられる。
【０１１０】
そして、スピーカ保持具６５には、図１８（Ａ）に示す長椅子６７の背板部分に、図１６の例と同様に埋め込まれた鉄板（図示は省略）に対して、磁気吸引力により吸着されるマグネット部６６（図１７参照）が、例えばねじ止めなどにより装着されている。
【０１１１】
２個のサブウーハ１１ＳＷ１Ａ，１１ＳＷ２Ａのリスナ１Ａに対する配置関係および２個のサブウーハ１１ＳＷ１Ｂ，１１ＳＷ２Ｂのリスナ１Ｂに対する配置関係は、前述の例と同様であることは言うまでもない。ただし、サブウーハ１１ＳＷ２Ａおよびサブウーハ１１ＳＷ２Ｂの振動板は、この例では、図１８（Ｂ）に示すように、サブウーハ１１ＳＷ１Ａおよびサブウーハ１１ＳＷ１Ｂの振動板とは対向しておらず、リスナ１Ａおよびリスナ１Ｂの後方から音を放音するように配置されている。
【０１１２】
すなわち、サブウーハ１１ＳＷ２Ａおよびサブウーハ１１ＳＷ２Ｂは、それらの振動板からの音波の放射方向が、他の２個のサブウーハ１１ＳＷ１Ａ，１１ＳＷ１Ｂの振動板からの音波の放射方向に対して直交する方向となるようにされている。
【０１１３】
このため、サブウーハ１１ＳＷ２Ａおよびサブウーハ１１ＳＷ２Ｂの位置は、その振動板の中心位置において、当該振動板に対して直交する方向の線を想定したとき、その線の位置がリスナの耳に対向する位置となり、かつ、リスナの耳と当該線との間の距離が前記距離ｄｓｗとなるようにされる。
【０１１４】
したがって、二人のリスナ１Ａ，１Ｂが、長椅子６７に座った状態では、図１８（Ａ）のようになり、リスナ１Ａに対しては２個のサブウーハ１１ＳＷ１Ａ，１１ＳＷ２Ａにより低域再生音が提供され、リスナ１Ｂに対しては２個のサブウーハ１１ＳＷ１Ｂ，１１ＳＷ２Ｂにより低域再生音が提供される。
【０１１５】
この場合に、リスナ１Ａの左右の耳に対しては、２個のサブウーハ１１ＳＷ１Ａ，１１ＳＷ２Ａの振動板（サブウーハのスピーカユニットの前面側）からの音波が、同相で到達するように、サブウーハ用の音声信号が２個のサブウーハ１１ＳＷ１Ａ，１１ＳＷ２Ａに対して入力される。同様にして、リスナ１Ｂの左右の耳に対して、２個のサブウーハ１１ＳＷ１Ｂ，１１ＳＷ２Ｂの振動板（サブウーハのスピーカユニットの前面側）からの音波が、同相で到達するように、サブウーハの音声信号が２個のサブウーハ１１ＳＷ１Ａ，１１ＳＷ２Ａに対して入力される（図１８（Ｂ）参照）。図１８において、「＋」、「−」の印は、音波の位相を示しており、「＋」と、「−」とでは、音波が逆相となるものである。
【０１１６】
なお、図１８（Ｂ）では、リスナ１Ａとリスナ１Ｂとの間でも、２個のサブウーハから提供される低音域の音波が同相となるように示したが、図１８（Ｃ）に示すように、リスナ１Ａとリスナ１Ｂとの間の距離が比較的離れている場合には、リスナ１Ａと、リスナ１Ｂとの間では、２個のサブウーハから提供される低音域の音波が逆相となるようにしてもよい。
【０１１７】
また、図１９（Ａ）に示すように、リスナ１Ａ用となる２個のサブウーハ１１ＳＷ１Ａと１１ＳＷ２Ａとは、それらの振動板が互いに対向するように設けて、リスナ１Ａの頭部を挟むように配置し、また、リスナ１Ｂ用となる２個のサブウーハ１１ＳＷ１Ｂと１１ＳＷ２Ｂについても、同様に、それらの振動板が互いに対向するように設けて、リスナ１Ａの頭部を挟むように配置してももちろんよい。
【０１１８】
この図１９（Ａ）の例の場合には、リスナ１Ａとリスナ１Ｂとの間に設けられるリスナ１Ａ用のサブウーハ１１ＳＷ２Ａと、リスナ１Ｂ用のサブウーハ１１ＳＷ２Ｂとについて、振動板とは反対側のスピーカユニットの後方から出る音波は互いに打ち消しあうように構成するのが望ましい。そこで、図１９（Ａ）の例では、リスナ１Ａとリスナ１Ｂとでは、図１９（Ａ）にも示したように、リスナ１Ａ用の２個のサブウーハ１１ＳＷ１Ａと１１ＳＷ２Ａとからの音波と、リスナ１用の２個のサブウーハ１１ＳＷ１Ｂと１１ＳＷ２Ｂとからの音波とが逆相となるように、それぞれのサブウーハ用の音声信号が、それぞれのリスナ用のサブウーハに供給されるように構成される。
【０１１９】
また、図１９（Ｂ）に示すように、リスナ１Ａとリスナ１Ｂとの間に設けられるサブウーハを、リスナ１Ａとリスナ１Ｂとで共通の１個のサブウーハ１１ＳＷ５を設けるようにしてもよい。この図１９（Ｂ）の例の場合は、リスナ１Ａとリスナ１Ｂとの距離が、近い場合に好適である。
【０１２０】
図１９（Ｂ）に示すように、共通のサブウーハ１１ＳＷ５は、リスナ１Ａとリスナ１Ｂとの間の中央位置の後方に設けられる。この共通のサブウーハ１１ＳＷ５の位置は、その振動板の中心位置において、当該振動板に対して直交する方向の線を想定したとき、その線の位置がリスナ１Ａおよび１Ｂの耳に対向する位置となり、かつ、リスナ１Ａ，１Ｂの耳と当該線との間の距離のそれぞれが前記距離ｄｓｗとなるようにされる。
【０１２１】
そして、共通のサブウーハ１１ＳＷ５は、その振動板からの音波の放射方向が、他のサブウーハ１１ＳＷ１Ａおよび１１ＳＷ１Ｂの振動板からの音波の放射方向に対して直交する方向となるように配置されている。
【０１２２】
したがって、この図１９（Ｂ）の例の場合には、リスナ１Ａに対するサブウーハ１１ＳＷ１Ａとサブウーハ１１ＳＷ５との配置関係およびリスナ１Ｂに対するサブウーハ１１ＳＷ１Ｂとサブウーハ１１ＳＷ５との配置関係が、それぞれ、前述した例えば図１０の例の、リスナ１に対するサブウーハ１１ＳＷ１とサブウーハ１１ＳＷ２との配置関係と同様となるようにされる。
【０１２３】
なお、この例の場合には、図１９（Ｂ）においても示したように、３個のサブウーハ１１ＳＷ１Ａ，１１ＳＷ２Ａおよび１１ＳＷ５の振動板（サブウーハのスピーカユニットの前面側）からの音波が、リスナ１Ａ，１Ｂの耳に同相で到達するように、サブウーハ用の音声信号が、これら３個のサブウーハ１１ＳＷ１Ａ，１１ＳＷ２Ａに対して入力される。
【０１２４】
次に、図２０の例は、三人のリスナ１Ａ、１Ｂおよび１Ｃに対して、サブウーハを、それぞれのリスナの耳の近傍に配置するようにした音響再生システムの例を示すもので、この例は、図１７および図１９（Ｂ）の例の応用例である。
【０１２５】
この図２０の例においては、４個のサブウーハ１１ＳＷａ、１１ＳＷｂ、１１ＳＷｃ、１１ＳＷｄは、図１７の例と同様に、スピーカ保持具６８に取り付けられている。そして、スピーカ保持具６８には、図２０（Ａ）に示す長椅子６９の背板部分に、図１６の例と同様に埋め込まれた鉄板（図示は省略）に対して、磁気吸引力により吸着されるマグネット部（図示は省略）が装着されている。
【０１２６】
この例においては、リスナ１Ａに対する２個のサブウーハは、サブウーハ１１ＳＷａと１１ＳＷｂとされ、リスナ１Ｂに対する２個のサブウーハは、サブウーハ１１ＳＷｂと１１ＳＷｃとされ、リスナ１Ｃに対する２個のサブウーハは、サブウーハ１１ＳＷｃと１１ＳＷｄとされる。
【０１２７】
すなわち、サブウーハ１１ＳＷｂは、リスナ１Ａとリスナ１Ｂとで共用されるもので、リスナ１Ａとリスナ１Ｂとの間の中央位置の後方に設けられる。また、サブウーハ１１ＳＷｃは、リスナ１Ｂとリスナ１Ｃとで共用されるもので、リスナ１Ｂとリスナ１Ｃとの間の中央位置の後方に設けられる。
【０１２８】
そして、それらの共用のサブウーハ１１ＳＷｂおよび１１ＳＷｃは、その振動板からの音波の放射方向が、他のサブウーハ１１ＳＷａおよび１１ＳＷｄの振動板からの音波の放射方向に対して直交する方向となるように配置されている。
【０１２９】
そして、リスナ１Ａ，１Ｂ，１Ｃのそれぞれについての２個のサブウーハと、リスナ１Ａ，１Ｂ，１Ｃに対する配置関係は、図１９（Ｂ）の例と同様とされる。
【０１３０】
そして、この例の場合には、図２０（Ｂ）においても示すように、４個のサブウーハ１１ＳＷａ，１１ＳＷｂ、１１ＳＷｃおよび１１ＳＷｄの振動板（サブウーハのスピーカユニットの前面側）からの音波が、リスナ１Ａ，１Ｂおよび１Ｃの耳に同相で到達するように、サブウーハ用の音声信号が、これら４個のサブウーハ１１ＳＷａ，１１ＳＷｂ、１１ＳＷｃおよび１１ＳＷｄに対して入力される。
【０１３１】
すなわち、サブウーハ１１ＳＷ２Ａおよびサブウーハ１１ＳＷ２Ｂは、それらの振動板からの音波の放射方向が、他の２個のサブウーハ１１ＳＷ１Ａ，１１ＳＷ１Ｂの振動板の音波の放射方向に対して直交する方向となるようにされている。
【０１３２】
図１８〜図２０に示した複数人のリスナの場合の音響再生システムにおいては、マグネットを用いて、スピーカ保持具を椅子に装着するように構成したが、例えば図１２の例のように天井から吊り下げるタイプ、図１３や図１４の例のようなスタンドを用いて保持するタイプ、壁にスピーカ保持具を固定するタイプなど、その他の種々の構成が取り得ることは言うまでもない。
【０１３３】
また、図１０〜図２０の例では、いずれもサブウーハの装着についてのみについて説明したが、それぞれの例のスピーカ保持具には、必要に応じて前述の実施形態と同様に、リアスピーカなどをも取り付けてもよい。
【０１３４】
［その他の実施形態または変形例］
なお、低域再生用のスピーカユニットを、その振動板の前後から出る音が加算可能なように取り付ける方法としては、上述の実施形態のようなパイプに取り付ける構造に限られるものではなく、例えば、比較的大きな多数の孔が穿かれた板に、低域再生用のスピーカユニットを取り付け、それらの多数の孔を通じて、前記振動板の前後から出る音が加算可能なようにされる構成であってもよい。
【０１３５】
また、上述の実施形態の説明は、５．１チャンネルのマルチチャンネル音声信号を再生するシステムの場合について説明したが、この発明は、５．１チャンネルに限らず、低域音声用のチャンネル以外に複数チャンネルの音声信号を再生するようにする音響再生システムの全てに適用可能である。
【図面の簡単な説明】
【０１３６】
【図１】この発明による音響再生システムの一実施形態におけるスピーカ配置を説明するための図である。
【図２】この発明による音響再生システムの実施形態の動作説明に用いる図である。
【図３】この発明による音響再生システムの実施形態の動作説明に用いる図である。
【図４】この発明による音響再生システムの一実施形態を説明するための図である。
【図５】図４の実施形態の要部の構成を説明するための図である。
【図６】図４の実施形態における音声信号処理装置の構成例を示すブロック図である。
【図７】この発明による音響再生システムの一実施形態を説明するための図である。
【図８】この発明による音響再生システムの他の一実施形態を説明するための図である。
【図９】図８の実施形態における音声信号処理装置の構成例を示すブロック図である。
【図１０】この発明による音響再生システムの一実施形態における他のスピーカ配置を説明するための図である。
【図１１】この発明による音響再生システムの一実施形態における他のスピーカ配置を説明するための図である。
【図１２】この発明による音響再生システムの一実施形態における他のスピーカ配置を説明するための図である。
【図１３】この発明による音響再生システムの一実施形態における他のスピーカ配置を説明するための図である。
【図１４】この発明による音響再生システムの一実施形態における他のスピーカ配置を説明するための図である。
【図１５】この発明による音響再生システムの一実施形態における他のスピーカ配置を説明するための図である。
【図１６】この発明による音響再生システムの一実施形態における他のスピーカ配置を説明するための図である。
【図１７】この発明による音響再生システムの一実施形態における他のスピーカ配置を説明するための図である。
【図１８】この発明による音響再生システムの一実施形態における他のスピーカ配置を説明するための図である。
【図１９】この発明による音響再生システムの一実施形態における他のスピーカ配置を説明するための図である。
【図２０】この発明による音響再生システムの一実施形態における他のスピーカ配置を説明するための図である。
【図２１】従来の音響再生システムにおける一般的なスピーカ配置例を説明するための図である。
【符号の説明】
【０１３７】
１１ＦＬ…前方左チャンネル用のスピーカ、１１ＦＲ…前方右チャンネル用のスピーカ、１１Ｃ…センタチャンネル用のスピーカ、１１ＲＬ…後方左チャンネル用のスピーカ、１１ＲＬ…後方右チャンネル用のスピーカ、１１ＳＷ１〜１１ＳＷ４…低域再生用のスピーカ（サブウーハ）、２０，５１，６７，６９…椅子、２２，５２，５３１，５３２，５４，５６，５７１，５７２，５８，６３，６５，６８…スピーカ保持具、３０…音声信号処理装置
【図１】
2006345477.tif 000003
【図２】
2006345477.tif 000004
【図３】
2006345477.tif 000005
【図４】
2006345477.tif 000006
【図５】
2006345477.tif 000007
【図６】
2006345477.tif 000008
【図７】
2006345477.tif 000009
【図８】
2006345477.tif 000010
【図９】
2006345477.tif 000011
【図１０】
2006345477.tif 000012
【図１１】
2006345477.tif 000013
【図１２】
2006345477.tif 000014
【図１３】
2006345477.tif 000015
【図１４】
2006345477.tif 000016
【図１５】
2006345477.tif 000017
【図１６】
2006345477.tif 000018
【図１７】
2006345477.tif 000019
【図１８】
2006345477.tif 000020
【図１９】
2006345477.tif 000021
【図２０】
2006345477.tif 000022
【図２１】
2006345477.tif 000023